(57)【特許請求の範囲】
【請求項１】
被固定体に設けられた円形の取付穴を覆うように該被固定体の表面側に当接して固定される固定本体と、
該固定本体の中心軸と偏心した位置に中心軸が配されると共に、該偏心した位置の中心軸を前記取付穴の中心軸に同心となるように合わせて該同心の軸の長手方向へ挿入されることで該取付穴を貫通できる大きさに設けられ、該取付穴を貫通した状態で前記固定本体の中心軸と前記取付穴の中心軸とが同心となるようにスライドされることで一部が前記被固定体の裏面側に重なるように配され、該裏面側で固定されるフックと、
該フックと前記固定本体とが、螺子の締付力によって前記被固定体を挟み込むことで該被固定体に固定されるように、該フックと前記固定本体とに連係されている雄螺子部材と、
前記固定本体の裏面から前記雄螺子部材と平行に延設されていると共に、前記フックに設けられた案内孔に挿通されて該フックの前記雄螺子部材による締付方向への移動を案内する案内ピンと、
前記固定本体と前記フックとの間に配され、前記取付穴の直径より長い長軸及び短い短軸を有する長円板状の外形で、内側の挿通開口に前記雄螺子部材と前記案内ピンとが挿通され、傾けられて前記取付穴に挿通されると共に、前記被固定体の裏面に前記取付穴を横断して当接して前記フックによって締め付けられて固定される長円リングとを具備し、
前記挿通開口が、前記雄螺子部材が挿通される締結用挿通開口と、前記案内ピンが挿通される案内用挿通開口とによって構成されており、前記締結用挿通開口に対する前記雄螺子部材の嵌め合い、及び前記案内用挿通開口に対する前記案内ピンの嵌め合いによって前記長円リングの位置決めがなされ、
前記締結用挿通開口が、前記長円リングの内側に長軸が同一線上に一致された長円形に設けられ、前記案内用挿通開口が、前記長円リングの長軸上に設けられていることを特徴とする取付固定器具。
【請求項２】
被固定体に設けられた円形の取付穴を覆うように該被固定体の表面側に当接して固定される固定本体と、
該固定本体の中心軸と偏心した位置に中心軸が配されると共に、該偏心した位置の中心軸を前記取付穴の中心軸に同心となるように合わせて該同心の軸の長手方向へ挿入されることで該取付穴を貫通できる大きさに設けられ、該取付穴を貫通した状態で前記固定本体の中心軸と前記取付穴の中心軸とが同心となるようにスライドされることで一部が前記被固定体の裏面側に重なるように配され、該裏面側で固定されるフックと、
該フックと前記固定本体とが、螺子の締付力によって前記被固定体を挟み込むことで該被固定体に固定されるように、該フックと前記固定本体とに連係されている雄螺子部材と、
前記固定本体の裏面から前記雄螺子部材と平行に延設されていると共に、前記フックに設けられた案内孔に挿通されて該フックの前記雄螺子部材による締付方向への移動を案内する案内ピンと、
前記固定本体と前記フックとの間に配され、前記取付穴の直径より長い長軸及び短い短軸を有する長円板状の外形で、内側の挿通開口に前記雄螺子部材と前記案内ピンとが挿通され、傾けられて前記取付穴に挿通されると共に、前記被固定体の裏面に前記取付穴を横断して当接して前記フックによって締め付けられて固定される長円リングとを具備し、
前記雄螺子部材が中空に設けられた管部材であることを特徴とする取付固定器具。
【請求項３】
被固定体に設けられた円形の取付穴を覆うように該被固定体の表面側に当接して固定される固定本体と、
該固定本体の中心軸と偏心した位置に中心軸が配されると共に、該偏心した位置の中心軸を前記取付穴の中心軸に同心となるように合わせて該同心の軸の長手方向へ挿入されることで該取付穴を貫通できる大きさに設けられ、該取付穴を貫通した状態で前記固定本体の中心軸と前記取付穴の中心軸とが同心となるようにスライドされることで一部が前記被固定体の裏面側に重なるように配され、該裏面側で固定されるフックと、
該フックと前記固定本体とが、螺子の締付力によって前記被固定体を挟み込むことで該被固定体に固定されるように、該フックと前記固定本体とに連係されている雄螺子部材と、
前記固定本体の裏面から前記雄螺子部材と平行に延設されていると共に、前記フックに設けられた案内孔に挿通されて該フックの前記雄螺子部材による締付方向への移動を案内する案内ピンと、
前記固定本体と前記フックとの間に配され、前記取付穴の直径より長い長軸及び短い短軸を有する長円板状の外形で、内側の挿通開口に前記雄螺子部材と前記案内ピンとが挿通され、傾けられて前記取付穴に挿通されると共に、前記被固定体の裏面に前記取付穴を横断して当接して前記フックによって締め付けられて固定される長円リングとを具備し、
前記固定本体の表面側に前記取付穴より大径に形成されて固定される表側固定部が設けられ、前記固定本体の裏面側に前記取付穴の内側に嵌まる嵌合段部が設けられていることを特徴とする取付固定器具。
【請求項４】
前記挿通開口が、前記雄螺子部材が挿通される締結用挿通開口と、前記案内ピンが挿通される案内用挿通開口とによって構成されており、前記締結用挿通開口に対する前記雄螺子部材の嵌め合い、及び前記案内用挿通開口に対する前記案内ピンの嵌め合いによって前記長円リングの位置決めがなされていることを特徴とする請求項２又は３記載の取付固定器具。
【請求項５】
前記雄螺子部材が、前記フックに螺合すると共に前記固定本体に係合していることを特徴とする請求項１〜４のいずれかに記載の取付固定器具。
【請求項６】
前記雄螺子部材が中空に設けられた管部材であることを特徴とする請求項１又は３記載の取付固定器具。
【請求項７】
前記管部材が水栓の管路を構成することを特徴とする請求項２又は６記載の取付固定器具。
【請求項８】
前記固定本体の表面側に前記取付穴より大径に形成されて固定される表側固定部が設けられ、前記固定本体の裏面側に前記取付穴の内側に嵌まる嵌合段部が設けられていることを特徴とする請求項１又は２記載の取付固定器具。
【請求項９】
請求項１〜８のいずれかに記載の取付固定器具を用いて該取付固定器具を被固定体に固定する取付固定方法であって、
前記フックを前記被固定体の取付穴と中心軸同士が同心となるように合わせて該同心の軸の長手方向へ挿入することで該取付穴に貫通させると共に、前記長円リングを傾かせて該取付穴に貫通させ、
前記固定本体と前記取付穴との中心軸同士が同心となるように、前記取付固定器具をスライドさせて前記固定本体を前記被固定体に配すると共に、前記フックの一部が前記被固定体と重なるように配し、
前記雄螺子部材による締付によって前記固定本体と前記フックを介して前記長円リングとで前記被固定体を挟み込むことで固定することを特徴とする取付固定方法。
【発明の詳細な説明】
【技術分野】
【０００１】
本発明は、被固定体の取付穴が設けられた部分に固定される取付固定器具及び取付固定方法に関する。
【背景技術】
【０００２】
従来、二ツ折れ自在の壁内プレートにワイヤを取着け、該壁内プレートと、ガス栓を具えた壁外プレートとを締付ねじによって連結し、該締付ねじを締付けることによって、前記ガス栓を壁体に固定するようにしたガス栓取着装置（特許文献１参照）が提案されている。
【０００３】
また、アダプタ装置に単一の且つ水栓取付穴の周方向に円弧形状をなす周長の長いホルダーを１つだけ設け、そのホルダーを周方向両端部近傍において２本の雄ねじ部材にてアダプタ本体とねじ締結するようになす物品の取付構造（特許文献２参照）が提案されている。これによれば、アダプタ装置を用いて水栓をカウンターに取り付けるに際し、カウンターを上下から挟み込むアダプタ本体とホルダーとがそれらをねじ締結する雄ねじ部材周りに相対変位することによって水栓が回転方向にがたつきを生じるのを防止することができる。
【先行技術文献】
【特許文献】
【０００４】
【特許文献１】実公平０２−４０３５９号公報（第１図）
【特許文献２】特開平１０−３１８３９８号公報（第１頁）
【発明の概要】
【発明が解決しようとする課題】
【０００５】
取付固定器具及び取付固定方法に関して解決しようとする課題は、従来の形態においては、構成が複雑になり易いと共に、取付固定の作業性をさらに向上させることが難しいことにある。
そこで、本発明の目的は、簡易な構成で、取付穴が設けられた被固定体に固定する作業性を向上できる取付固定器具及び取付固定方法を提供することにある。
【課題を解決するための手段】
【０００６】
本発明は上記目的を達成するために次の構成を備える。
本発明にかかる取付固定器具の一形態によれば、被固定体に設けられた円形の取付穴を覆うように該被固定体の表面側に当接して固定される固定本体と、該固定本体の中心軸と偏心した位置に中心軸が配されると共に、該偏心した位置の中心軸を前記取付穴の中心軸に同心となるように合わせて該同心の軸の長手方向へ挿入されることで該取付穴を貫通できる大きさに設けられ、該取付穴を貫通した状態で前記固定本体の中心軸と前記取付穴の中心軸とが同心となるようにスライドされることで一部が前記被固定体の裏面側に重なるように配され、該裏面側で固定されるフックと、該フックと前記固定本体とが、螺子の締付力によって前記被固定体を挟み込むことで該被固定体に固定されるように、該フックと前記固定本体とに連係されている雄螺子部材と、前記固定本体の裏面から前記雄螺子部材と平行に延設されていると共に、前記フックに設けられた案内孔に挿通されて該フックの前記雄螺子部材による締付方向への移動を案内する案内ピンと、前記固定本体と前記フックとの間に配され、前記取付穴の直径より長い長軸及び短い短軸を有する長円板状の外形で、内側の挿通開口に前記雄螺子部材と前記案内ピンとが挿通され、傾けられて前記取付穴に挿通されると共に、前記被固定体の裏面に前記取付穴を横断して当接して前記フックによって締め付けられて固定される長円リングとを具備する。そして、前記挿通開口が、前記雄螺子部材が挿通される締結用挿通開口と、前記案内ピンが挿通される案内用挿通開口とによって構成されており、前記締結用挿通開口に対する前記雄螺子部材の嵌め合い、及び前記案内用挿通開口に対する前記案内ピンの嵌め合いによって前記長円リングの位置決めがなされ、前記締結用挿通開口が、前記長円リングの内側に長軸が同一線上に一致された長円形に設けられ、前記案内用挿通開口が、前記長円リングの長軸上に設けられている。
【０００７】
また、本発明にかかる取付固定器具の一形態によれば、前記挿通開口が、前記雄螺子部材が挿通される締結用挿通開口と、前記案内ピンが挿通される案内用挿通開口とによって構成されており、前記締結用挿通開口に対する前記雄螺子部材の嵌め合い、及び前記案内用挿通開口に対する前記案内ピンの嵌め合いによって前記長円リングの位置決めがなされていることを特徴とすることができる。
【０００８】
また、本発明にかかる取付固定器具の一形態によれば、前記雄螺子部材が、前記フックに螺合すると共に前記固定本体に係合していることを特徴とすることができる。
また、本発明にかかる取付固定器具の一形態によれば、前記雄螺子部材が中空に設けられた管部材であることを特徴とすることができる。
また、本発明にかかる取付固定器具の一形態によれば、前記管部材が水栓の管路を構成することを特徴とすることができる。
【０００９】
また、本発明にかかる取付固定器具の一形態によれば、前記固定本体の表面側に前記取付穴より大径に形成されて固定される表側固定部が設けられ、前記固定本体の裏面側に前記取付穴の内側に嵌まる嵌合段部が設けられていることを特徴とすることができる。
【００１０】
また、本発明にかかる取付固定方法の一形態によれば、前記の取付固定器具を用いて該取付固定器具を被固定体に固定する取付固定方法であって、前記フックを前記被固定体の取付穴と中心軸同士が同心となるように合わせて該同心の軸の長手方向へ挿入することで該取付穴に貫通させると共に、前記長円リングを傾かせて該取付穴に貫通させ、前記固定本体と前記取付穴との中心軸同士が同心となるように、前記取付固定器具をスライドさせて前記固定本体を前記被固定体に配すると共に、前記フックの一部が前記被固定体と重なるように配し、前記雄螺子部材による締付によって前記固定本体と前記フックを介して前記長円リングとで前記被固定体を挟み込むことで固定することを特徴とすることができる。
【発明の効果】
【００１１】
本発明に係る取付固定器具及び取付固定方法によれば、簡易な構成で、取付穴が設けられた被固定体に固定する作業性を、より向上できるという特別有利な効果を奏する。
【図面の簡単な説明】
【００１２】
【図１】本発明に係る取付固定器具の形態例を示す斜視図である。
【図２】図１の形態例を他方向（裏面側）から見た斜視図である。
【図３】図１の形態例に用いられる固定本体の斜視図である。
【図４】図１の形態例に用いられるフックの斜視図である。
【図５】図１の形態例に用いられる雄螺子部材の斜視図である。
【図６】図１の形態例に用いられる長円リングの詳細図であり、（ａ）は平面図、（ｂ）は断面図、（ｃ）は底面図、（ｄ）は側面図である。
【図７】図１の形態例の使用状態（第１工程）を示す側断面図である。
【図８】図１の形態例の使用状態（第２工程）を示す側断面図である。
【図９】図１の形態例の使用状態（第３工程）を示す側断面図である。
【図１０】図１の形態例の使用状態（第４工程）を示す側断面図及び要部拡大図である。
【図１１】図１の形態例の使用状態（第５工程）を示す側断面図及び要部拡大図である。
【図１２】図１の形態例の使用状態（第６工程）を示す側断面図である。
【図１３】図１の形態例の使用状態（第７工程）を示す側断面図である。
【図１４】図１の形態例の使用状態（第８工程）を示す側断面図である。
【図１５】図１の形態例の使用状態（第９工程）を示す側断面図である。
【図１６】図１の形態例の使用状態（第１０工程）を示す側断面図である。
【発明を実施するための形態】
【００１３】
以下、本発明に係る取付固定器具及び取付固定方法の形態例を添付図面（図１〜１６）と共に詳細に説明する。なお、本形態例の取付固定器具は本発明を水栓の固定のために適用したものであるが、本発明は、これに限定されるものではなく、配線や他の配管などが固定されるべき構成である場合にも好適に適用できる。
【００１４】
２０は固定本体であり、被固定体１０に設けられた円形の取付穴１１を覆うように、その被固定体１０の表面１０ａ側に当接して固定される部品になっている（図３、７など参照）。本形態例では、固定本体２０外形が円形に設けられ、取付穴１１よりも大径なフランジ状の表側固定部２１（後述参照）が設けられている。そして、本形態例の固定本体２０では、図３に示すように表側固定部２１の表面には突起した六角部２４が設けられ、中央の軸芯部は貫通孔２３になっている。
なお、被固定体１０とは、所要の厚みがあって平面的な広がりのある板状などの部材であり、流し台の天板、壁、床、天井などの構造物を構成する部材の形態であって、貫通した所要の大きさの取付穴１１を設けることが可能なものである。
【００１５】
３０はフックであり、固定本体２０の中心軸Ｚａと偏心した位置に中心軸Ｚｂが配されると共に、その偏心した位置の中心軸Ｚｂを取付穴１１の中心軸Ｚｃに同心となるように合わせて同心の軸Ｚｂ、Ｚｃの長手方向へ挿入されることでその取付穴１１を貫通できる大きさに設けられ、その取付穴１１を貫通した状態で固定本体２０の中心軸Ｚａと取付穴１１の中心軸Ｚｃとが同心となるようにスライドされることで一部３０ａが被固定体１０の裏面１０ｂ側に重なるように配され、その裏面１０ｂ側で固定される。
すなわち、フック３０は、固定本体２０の中心軸Ｚａと平行で偏心した位置に中心軸Ｚｂが位置していると共に、その中心軸Ｚｂと取付穴１１の中心軸Ｚｃと同心にして傾けないで取付穴１１を貫通できる大きさに設けられ、被固定体１０の裏面１０ｂ側で取付穴１１の縁部の一部（被固定体１０の一部）に重なって固定される部品になっている（図４、７など参照）。このフック３０によれば、長円リング６０（後述参照）を挟んで被固定体１０に圧接された状態となることで固定されるように設けられている。
【００１６】
本形態例では、円形の取付穴１１の中心軸Ｚｃに円形のフック３０の中心軸Ｚｂを合わせた状態で、そのフック３０を傾けることなく取付穴１１について挿通できる嵌め合い関係になっている。すなわち、被固定体１０の表面１０ａに直交する方向から傾けることなく、取付穴１１へ挿通できる形態になっている。なお、図９、１０などに示すように、フック３０の外径寸法は、長円リング６０（後述参照）の裏面に当接（圧接）して締め付ける面積を大きくとることや雄螺子部材４０（後述参照）及び案内ピン５０（後述参照）を適切に配することのため、円形の取付穴１１の内径を適切に通過でき、且つその取付穴１１の内径寸法よりも小径の範囲ではあるが、できるだけ大径となるように設定するとよい。
【００１７】
４０は雄螺子部材であり、フック３０と固定本体２０とが、螺子の締付力によって長円リング６０（後述参照）を介して被固定体１０を挟み込むことで、その被固定体１０に固定されるように、フック３０と固定本体２０とに連係されている（図５など参照）。つまり、この雄螺子部材４０によれば、その螺子の締付力によって、被固定体１０に、固定本体２０と長円リング６０及びフック３０を連結するように締結できる。
【００１８】
５０は案内ピンであり、固定本体２０の裏面２０ｂ（図７など参照）から雄螺子部材４０と平行に延設されていると共に、フック３０に設けられた案内孔３２（図４など参照）に挿通されて、そのフック３０の雄螺子部材４０による締付方向への移動を案内する部材になっている。なお、本形態例の案内ピン５０としては、汎用性のあるボルトが流用されており、その頭部５０ａがフック３０の脱落を防止するストッパ部となっている。
これによれば、フック３０を取付穴１１に挿入して所要の位置へ横スライドする簡単な作業工程と、雄螺子部材４０を回すだけの簡単な作業工程とで、フック３０が、案内ピン５０によって共回りをしない状態で好適に案内されて、前述のように被固定体１０へ向って締付けられる。
なお、横スライドによる移動方向とは、実質的に、取り付け面である被固定体１０の表面１０ａと平行で各中心軸に直交する方向になる。
【００１９】
６０は長円リングであり、固定本体２０とフック３０との間に配され、取付穴１１の直径より長い長軸６０ａ及び短い短軸６０ｂを有する長円板状の外形で、内側の挿通開口６１に雄螺子部材４０と案内ピン５０とが挿通され、傾けられて取付穴１１に挿通されると共に、被固定体１０の裏面１０ｂに取付穴１１を横断して当接してフック３０によって締め付けられて固定される（図１、６など参照）。
【００２０】
この長円リング６０は、傾けることができるため、長軸６０ａが取付穴１１の直径よりも長く形成されているが、取付穴１１に対して挿通できる。そして、被固定体１０の裏面１０ｂであって取付穴１１を真ん中に挟んで両側の部分に、長円リング６０の長軸方向の両端部が圧接した状態で固定される。これによれば、両側でバランス良く固定されるため、緩みにくいように締め付けることができ、確実に固着できる。
【００２１】
なお、本形態例の長円リング６０は、その外形が一対の半円を一対の直線で結んだ陸上競技場のトラックの形状であるが、これに限定されるものではなく、楕円形でもよい。つまり、取付穴１１の直径よりも長い長軸部と、取付穴１１の直径よりも短い短軸部を備えるものであればよい。また、この長円リング６０は、その裏面６０ｄ側にフック３０が圧接し、被固定体１０の裏面１０ｂへ表面６０ｃ側が当接して固定されるもので、高い剛性を有するように所要の厚みに形成されている（図６など参照）。なお、このように長円リング６０には所要の厚みがあるため、後述するように案内ピン５０について傾斜することが許容されると共に平面的な位置決めができる形態になっている。
【００２２】
また、長円リング６０の挿通開口６１が、雄螺子部材が４０挿通される締結用挿通開口６２と、案内ピン５０が挿通される案内用挿通開口６３とによって構成されており、締結用挿通開口６２に対する雄螺子部材４０の嵌め合い、及び案内用挿通開口６３に対する案内ピン５０の嵌め合いによって長円リング６０の位置決めがなされている。
これによれば、長円リング６０が、取付穴１１に挿通されて貫通すると自重でフック３０と平行になるように回動する（図１３参照）ことで、その長円リング６０の被固定体１０の裏面１０ｂにおける位置決めが自動的になされる。このため、被固定体１０の裏側での長円リング６０の位置合せをすることなく、極めて簡単に固定作業を行うことができる
【００２３】
本形態例では、締結用挿通開口６２に対する雄螺子部材４０の嵌め合いによれば、長円リング６０が雄螺子部材４０に対して長軸方向へ移動することを許容し、長円リング６０が傾斜することを許容するように、雄螺子部材４０の雄螺子部４１が遊嵌されている（図１、５など参照）。この締結用挿通開口６２は、長円リング６０の内側に長円形に設けられており、案内用挿通開口６３が設けられた側とは反対側に偏心した位置に配されている。なお、長円リング６０の長軸６０ａと、締結用挿通開口６２の長軸とが同一線上に一致している。そして、案内用挿通開口６３に対する案内ピン５０の嵌め合いによれば、長円リング６０の案内ピン５０の軸心に直交する方向への移動を規制し、長円リング６０が案内ピン５０を中心に傾斜することを許容する。
【００２４】
さらに詳細には、案内用挿通開口６３は、図６（ａ）に示すように長円リング６０の長軸６０ａ上に設けられており、案内ピン５０が挿通されている。そして、図６（ｂ）に示すように、案内ピン５０に対して傾斜する際に、その動作が許容される断面形状に設けられている。本形態例では、長円リング６０の表面側で案内用挿通開口６３から締結用挿通開口６２に向って表側の凹部６３ａが形成され、長円リング６０の裏面側で案内用挿通開口６３から長円リング６０の外縁に向って裏側の凹部６３ｂが形成されている。
【００２５】
これによれば、長円リング６０の案内ピン５０に対する移動変位が実質的に生じないように制限されるが、長円リング６０の長軸が案内ピン５０に対して直交する状態から傾斜することが許容される。なお、表側の凹部６３ａ及び裏側の凹部６３ｂは、この形態に限定されることはなく、案内ピン５０に対して長円リング６０が干渉しないで傾斜できる形態であればよい。例えば、傾斜した切欠き状の形態であってもよい。
なお、案内用挿通開口６３に挿通されている案内ピン５０の配設位置は、フック３０の前述した一部３０ａの側に設けられた案内孔３２に挿通されるように、固定本体２０の中心軸Ｚａから大きく偏心した位置となっている。
【００２６】
また、本形態例では、雄螺子部材４０が、フック３０に螺合すると共に固定本体２０に係合している。さらに詳細には、本形態例の雄螺子部材４０の雄螺子部が、フック３０に設けられた雌螺子部３１に螺合され、固定本体２０に設けられた貫通孔２３に挿通されている。そして、その雄螺子部材４０の頭部である水栓の基部４２によって係合されている。
これによれば、雄螺子部材４０の先端が、壁などの被固定体１０の裏面１０ｂ側（壁などの内側）へ突出する状態となることで締付けがなされる。従って、雄螺子部材４０が被固定体１０の表面１０ａ側へ突出する場合に比較して、被固定体１０の表面１０ａ側に装着される他の装着部材に対する取り合い関係が変化しないため、その装着部材を適切に固定できる。
【００２７】
また、本形態例では、雄螺子部材４０の軸芯が中空に設けられた管部材である。さらに詳細には、その本形態例の管部材が、水栓４５（図１など参照）の管路４３（図５など参照）を構成している。これによれば、雄螺子部材４０が管部材（水路）としての機能も備えるため、例えば水栓４５の構成を簡略化できる。なお、これに限定されず、管部材が配線を通す管路とすれば、配線が結線される器具を被固定体１０に容易に固定できる。さらに、本発明の取付固定器具によれば、裏からの作業ができない形態の被固定体１０の表面に、その表面側からだけの作業で何らかの物体を固定する際に、極めて有効に対応できる。
【００２８】
本形態例の雄螺子部材４０及び案内ピン５０は、各一本ずつ設けられている。これによれば、構成がシンプルであると共に、フック３０の移動や締付け作業を容易に行うことができる。また、締め付けるための雄螺子部材４０は一本であるが、長円リング６０が、その長軸方向の両端部で被固定体１０の裏面１０ｂに圧接するため、締め付け力が両側に好適に分散され、バランスよく安定的に且つ確実に固定することができる。従って、緩みにくく、外れることが防止でき、信頼性を向上できる。
【００２９】
また、図１６に示した形態例では、固定本体２０の表面２０ａ側に取付穴１１より大径に形成されて固定される表側固定部２１が設けられ、固定本体２０の裏面２０ｂ側に取付穴１１の内側に嵌まる嵌合段部２２が設けられている。
これによれば、固定本体２０を取付穴１１に対して適切且つ容易に位置決めができる。また、段差をつけるだけの形態であり、容易に製作できる。なお、取付穴１１に対して位置決めを適切に行うための構造としては、本形態例に限定されず、例えば三個以上の突起が取付穴１１の内側に嵌まるように設けられることでも実現できる。
【００３０】
本形態例では、固定本体２０が配管口４４（図１、５など参照）を固定するためのベース部として設けられ、フック３０には配管（管路４３）を兼ねる雄螺子部材４０が螺合された形態となっている。本発明はこれに限定されず、固定本体２０を配線口が固定されるためのベース部として設けることもできる。これらの形態によれば、配管や配線を機能的且つ合理的にコンパクトに配するために、有効に用いることができる。
【００３１】
本形態例の雄螺子部材４０は、固定本体２０の中心に軸芯を合わせて配され、フック３０は固定本体２０の中心から偏心した位置に配されている。そして、この雄螺子部材４０は、フック３０の中心から一方側へ偏心した位置に中心を配して設けられた雌螺子部３１に螺合されている。また、案内ピン５０は、フック３０の中心から（雌螺子部３１の位置とは反対の）他方側（フック３０の一部３０ａの側）へ偏心した位置に中心を配して設けられた案内孔３２に挿通されている。これにより、フック３０の小さな面内に雌螺子部３１及び案内孔３２を適切に配置することができる（図４など参照）。
【００３２】
また、本形態例のフック３０は、厚肉の円形板を原形として、剛性の高い金具になっている。本発明の案内ピン５０及び長円リング６０も、剛性が高い部品になっている。これによれば、雄螺子部材４０による螺子の締め付け作業において、共回りを防止しつつ、フック３０を締付け方向へ適切に移動させて長円リング６０と共に、締め付け力を適切に作用させて固定することができる。
なお、案内ピン５０は剛性を要するが、その配置スペース、長円リング６０やフック３０との嵌め合いなどの制約から雄螺子部材４０と比較しても十分に細いものであることが好ましい。
【００３３】
以上に説明した取付固定器具を用い、その取付固定器具を被固定体１０に固定する取付固定方法を以下に説明する。
先ず、フック３０を、図７に示す状態から傾けることなく、図８に示すように被固定体１０の取付穴１１と中心軸同士（Ｚｂ、Ｚｃ）が同心となるように合わせ、その同心の軸（Ｚｂ、Ｚｃ）の長手方向へ挿入し、その取付穴１１に図９から図１１に示すように貫通させる。
この際に、長円リング６０は、取付穴１１の表側の周縁に接触してフック３０が挿入される過程で自動的に傾けられ、その長円リング６０の長軸部の一方の端部から取付穴１１に挿入されていく（図１０、１１など参照）。すなわち、長円リング６０の雄螺子部材４０が挿通された締結用挿通開口６２の側が固定本体２０側へ近づくように回動されて傾斜し、長円リング６０の案内ピン５０が挿通された案内用挿通開口６３の側から取付穴１１に挿入される。
【００３４】
次に、図１２に示すように、固定本体２０と取付穴１１との中心軸同士（Ｚａ、Ｚｃ）が同心となるかそれに近い位置となるように、取付固定器具全体をスライドさせる。これによれば、フック３０の一部３０ａが取付穴１１を形成する固定本体２０の部分に重なるように、そのフック３０が取付穴１１について偏心した位置へ移動される。このようにフック３０を偏心させることで、図１３、１４に示すように長円リング６０が取付穴１１をスムースに通過されて被固定体１０の裏側へ移動されることになる。すなわち、長円リング６０は、案内ピン５０に対して位置変位がないように係合しているため、フック３０及び案内ピン５０のスライド移動に伴って移動することになる。そして、本形態例のように水平面の被固定体１０に取付固定器具を固定する場合は、図１３、１４に示すように傾斜していた長円リング６０が重力によって自動的に回動してフック３０の表面側（上面側）に載置された状態になる。すなわち、フック３０と長円リング６０のどちらも水平になっている。また、取付固定器具を鉛直な面となっている被固定体１０に固定する際は、案内ピン５０を上側にして取付穴１１に挿通すると、長円リング６０が自重で自動的に垂れ下がり、被固定体１０の裏面１０ｂ側で適切に位置決めがなされる。
なお、図１６の形態例では、固定本体２０の嵌合段部２２を取付穴１１内に嵌めることで取付固定器具の位置決めがなされる。
【００３５】
そして、雄螺子部材４０による締付けによって、固定本体２０と長円リング６０を介してフック３０との間で被固定体１０を挟み込むことで固定する。すなわち、雄螺子部材４０を締め方向に回すこと（図１５参照）によってフック３０が締付け方向へ移動され、被固定体１０が固定本体２０とフック３０とによって挟圧されて固定される。なお、このとき、固定本体２０は、その六角部２４を利用してスパナーで押さえて共回りしないようにするとよい。
これによれば、被固定体１０の表面１０ａ側からの作業のみで、取付固定器具の取付作業を容易に行うことができる。
【００３６】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３７】
１０  被固定体
１０ａ  表面
１０ｂ  裏面
１１  取付穴
２０  固定本体
２０ａ  表面
２０ｂ  裏面
２１  表側固定部
２２  嵌合段部
２３  貫通孔
２４  六角部
３０  フック
３０ａ  一部
３１  雌螺子部
３２  案内孔
４０  雄螺子部材
４１  雄螺子部
４２  水栓の基部
４３  管路
４４  配管口
４５  水栓
５０  案内ピン
５０ａ  頭部
６０  長円リング
６０ａ  長軸
６０ｂ  短軸
６１  挿通開口
６２  締結用挿通開口
６３  案内用挿通開口
６３ａ  表側の凹部
６３ｂ  裏側の凹部
Ｚａ  固定本体の中心軸
Ｚｂ  フックの中心軸
Ｚｃ  取付穴の中心軸
【要約】
【課題】被固定体に固定する作業性を、より向上できる取付固定器具を提供すること。
【解決手段】被固定体１０に設けられた取付穴１１を覆うように被固定体１０の表面１０ａ側に当接して固定される固定本体２０と、固定本体２０の中心と偏心した位置に配されると共に取付穴１１を貫通できる大きさに設けられて被固定体１０の裏面１０ｂ側で固定されるフック３０と、フック３０と固定本体２０とが、螺子の締付力によって被固定体１０を挟み込むことでその被固定体１０に固定されるように、フック３０と固定本体２０とに連係されている雄螺子部材４０と、フック３０に設けられた案内孔３２に挿通されてフック３０の雄螺子部材４０による締付方向への移動を案内する案内ピン５０と、被固定体１０の裏面１０ｂに取付穴１１を横断して当接してフック３０によって締め付けられて固定される長円リング６０とを具備する。
【選択図】図７【図１】
0005122009.tif 000002
【図２】
0005122009.tif 000003
【図３】
0005122009.tif 000004
【図４】
0005122009.tif 000005
【図５】
0005122009.tif 000006
【図６】
0005122009.tif 000007
【図７】
0005122009.tif 000008
【図８】
0005122009.tif 000009
【図９】
0005122009.tif 000010
【図１０】
0005122009.tif 000011
【図１１】
0005122009.tif 000012
【図１２】
0005122009.tif 000013
【図１３】
0005122009.tif 000014
【図１４】
0005122009.tif 000015
【図１５】
0005122009.tif 000016
【図１６】
0005122009.tif 000017